(57)【特許請求の範囲】
【請求項１】
少なくとも１つの接続を有する無線リンクを少なくとも１つのエンドポイントにより確立する段階と、
前記無線リンクに関連するアプリケーションプロフィールを決定する段階と、
前記エンドポイントの移動速度を示す移動度表示を受け取る段階と、
前記アプリケーションプロフィール及び前記移動度表示に基づいて前記無線リンクのための少なくとも１つのパラメータを動的に選択する段階と
を有し、
前記無線リンクのための少なくとも１つのパラメータを動的に選択する段階は、
前記移動度表示に基づいて、前記無線リンクのための前記少なくとも１つのパラメータを信号対雑音比と相関させる性能曲線を適応させる段階と、
前記性能曲線から前記アプリケーションプロフィールのＱｏＳ要件を満足することができない性能曲線を取り除く段階と
を有する、方法。
【請求項２】
前記無線リンクのための少なくとも１つのパラメータを選択する段階は、
前記無線リンクのためのＭＩＭＯスキームと、前記無線リンクのための変調及び符号化スキームレベルと、前記無線リンクを介して送信されるフレームを分割するコードブロックサイズとを含むグループからパラメータを選択する段階を有する、
請求項１に記載の方法。
【請求項３】
少なくとも１つの接続を有する無線リンクを少なくとも１つのアクセス局により確立する段階と、
前記無線リンクに関連するアプリケーションプロフィールを決定する段階と、
移動速度を示す移動度を決定する段階と、
前記アプリケーションプロフィール及び前記移動度に基づいて前記無線リンクの少なくとも１つのパラメータのための提案を動的に決定する段階と、
前記提案を前記少なくとも１つのアクセス局に送信する段階と
を有し、
前記無線リンクの少なくとも１つのパラメータのための提案を動的に決定する段階は、
前記移動度に基づいて、前記無線リンクの前記少なくとも１つのパラメータを信号対雑音比と相関させる性能曲線を適応させる段階と、
前記性能曲線から前記アプリケーションプロフィールのＱｏＳ要件を満足することができない性能曲線を取り除く段階と
を有する、方法。
【請求項４】
インターフェースと、該インターフェースに結合されるプロセッサとを有し、
前記インターフェースは、
少なくとも１つの接続を有する無線リンクを少なくとも１つのエンドポイントにより確立し、かつ
前記エンドポイントの移動速度を示す移動度表示を受け取る
よう構成され、
前記プロセッサは、前記無線リンクに関連するアプリケーションプロフィールを決定し、該アプリケーションプロフィール及び前記移動度表示に基づいて前記無線リンクのための少なくとも１つのパラメータを動的に選択するよう構成され、
前記プロセッサは、前記無線リンクのための前記少なくとも１つのパラメータを信号対雑音比と相関させる性能曲線を前記移動度表示に基づいて適応させ、該性能曲線から前記アプリケーションプロフィールのＱｏＳ要件を満足することができない性能曲線を取り除くことによって、前記無線リンクのための前記少なくとも１つのパラメータを動的に選択するよう構成される、システム。
【請求項５】
インターフェースと、該インターフェースに結合されるプロセッサとを有し、
前記インターフェースは、少なくとも１つの接続を有する無線リンクを少なくとも１つのアクセス局により確立するよう構成され、
前記プロセッサは、
前記無線リンクに関連するアプリケーションプロフィールを決定し、
移動速度を示す移動度を決定し、かつ
前記アプリケーションプロフィール及び前記移動度に基づいて前記無線リンクの少なくとも１つのパラメータのための提案を動的に決定する
よう構成され、
前記インターフェースは、さらに、前記提案を前記少なくとも１つのアクセス局に送信するよう構成され、
前記プロセッサは、前記無線リンクの前記少なくとも１つのパラメータを信号対雑音比と相関させる性能曲線を前記移動度に基づいて適応させ、該性能曲線から前記アプリケーションプロフィールのＱｏＳ要件を満足することができない性能曲線を取り除くことによって、前記無線リンクの前記少なくとも１つのパラメータのための提案を動的に決定するよう構成される、システム。
【請求項６】
プロセッサによって実行される場合に、
少なくとも１つの接続を有する無線リンクを少なくとも１つのエンドポイントにより確立し、
前記無線リンクに関連するアプリケーションプロフィールを決定し、
前記エンドポイントの移動速度を示す移動度表示を受け取り、かつ
前記アプリケーションプロフィール及び前記移動度表示に基づいて前記無線リンクのための少なくとも１つのパラメータを動的に選択する
よう構成される実行可能な命令を含み、
前記無線リンクのための少なくとも１つのパラメータは、当該少なくとも１つのパラメータを信号対雑音比と相関させる性能曲線を前記移動度表示に基づいて適応させ、該性能曲線から前記アプリケーションプロフィールのＱｏＳ要件を満足することができない性能曲線を取り除くことによって、動的に選択される、有形なコンピュータ可読記憶媒体。
【請求項７】
プロセッサによって実行される場合に、
前記無線リンクに関連するアプリケーションプロフィールを決定し、
少なくとも１つの接続を有する無線リンクを少なくとも１つのアクセス局により確立し、
移動速度を示す移動度を決定し、
前記アプリケーションプロフィール及び前記移動度に基づいて前記無線リンクの少なくとも１つのパラメータのための提案を動的に決定し、かつ
前記提案を前記少なくとも１つのアクセス局に送信する
よう構成される実行可能な命令を含み、
前記無線リンクの少なくとも１つのパラメータのための提案は、前記少なくとも１つのパラメータを信号対雑音比と相関させる性能曲線を前記移動度に基づいて適応させ、該性能曲線から前記アプリケーションプロフィールのＱｏＳ要件を満足することができない性能曲線を取り除くことによって、動的に決定される、有形なコンピュータ可読記憶媒体。
【発明の詳細な説明】
【技術分野】
【０００１】
本発明は、概して、無線ネットワークに関し、より具体的には、移動度に基づいてリンク適応を実施する方法及びシステムに関する。
【背景技術】
【０００２】
携帯電話ネットワークは、純粋に音声中心であることから、第３世代（３Ｇ）システム等における音声及びデータの混合へのシフトの最中にある。また、ネットワークは、より多くのパケットを用いる無線ブロードバンドアクセスネットワーク（ＷＢＡＮ）へと進化しつつある。ＷＢＡＮは、音声アプリケーション、データアプリケーション、及びマルチメディアアプリケーションをサポートするよう設計されている。これらのアプリケーションは、遅延量、パケット損失エラーレート、及び優先度（ときどき、クオリティ・オブ・サービス（ＱｏＳ）要求と呼ばれる。）に係る様々な要件を有する。
【０００３】
ＭＩＭＯ（Multiple  Input  Multiple  Output）又は多重アンテナ技術は、第４世代（４Ｇ）無線システムで使用されるよう提案されている技術の１つである。ＭＩＭＯ技術は、種々の構成を用いて、基礎をなす無線チャネルの信頼性を改善し、又はスペクトル効率を高めることができる。例えば、空間マルチプレキシング（ＳＭ）は、複数のアンテナから複数の並列なデータストリームを送信することによって、スペクトル効率を高めるために使用されてよく、一方、ＳＴＢＣ（Space  Time  Block  Codes）又はＳＦＢＣ（Space  Frequency  Block  Codes）等のダイバーシティ技術は、空間及び時間又は周波数のそれぞれにわたるインテリジェント・コーディングによって、チャネル信頼性を高めるために使用されてよい。同様に、様々な変調及びチャネル符号化スキーム（ＭＣＳ）レベルが、信頼性とスペクトル効率との間のトレードオフを得るために使用されてよい。
【０００４】
ＨＡＲＱ（Hybrid  Automatic  Repeat  Request）は、信頼できる送信を得るために４Ｇシステムにおいて使用される他の技術である。しかし、ＨＡＲＱによる再送信の数の増大は、より大きな遅延をもたらす。
【発明の概要】
【発明が解決しようとする課題】
【０００５】
本発明は、無線ネットワークにおけるリンク適応を改善可能な方法、システム及びコンピュータ可読記憶媒体を提供することを目的とする。
【課題を解決するための手段】
【０００６】
本開示の教示は、無線リンクを少なくとも１つのエンドポイントにより確立する段階を有する方法に関する。前記無線リンクは、少なくとも１つの接続を有する。当該方法は、さらに、前記エンドポイントの移動速度を示す移動度表示を受け取る段階と、該受け取った移動度表示に基づいて前記無線リンクのための少なくとも１つのパラメータを動的に選択する段階とを有する。
【０００７】
特定の態様に係る技術的利点には、無線接続とともに使用されるＭＩＭＯスキーム及びＭＣＳレベルの適切な組み合わせを動的に選択することがある。特定の態様に係る他の技術的利点は、無線リンクの状態の変化に応答して、無線リンクの寿命にわたって、ＭＩＭＯスキーム及びＭＣＳレベルの選択された組み合わせを適応させることである。他の技術的利点は、以下の記載、図面及び特許請求の範囲から当業者には容易に認識されるであろう。さらに、具体的な利点が先に挙げられたが、種々の実施形態は、挙げられている利点の全て若しくは一部を有してよく、あるいは、それらの利点を全く有さなくてもよい。
【発明の効果】
【０００８】
本発明の実施形態によれば、無線ネットワークにおけるリンク適応を改善可能な方法、システム及びコンピュータ可読記憶媒体を提供することができる。
【図面の簡単な説明】
【０００９】
【図１】特定の態様に従う、様々な通信ネットワークを有する通信システムを表す。
【図２】特定の態様に従う、より詳細に表されたアクセス局を有する無線ネットワークを表す。
【図３Ａ】特定の態様に従う、基地局で行われるリンク適応決定を表すブロック図を示す。
【図３Ｂ】特定の態様に従う、エンドポイントで行われるリンク適応決定を表すブロック図を示す。
【図４】特定の態様に従う、アプリケーションプロフィールに基づいてリンク適応を実施する方法を表す。
【発明を実施するための形態】
【００１０】
特定の態様及びそれらの利点のより完全な理解のために、ここでは、添付の図面に関連して、以下の記載を参照する。
【００１１】
図１は、特定の態様に従う、様々な通信ネットワークを有する通信システムを表す。通信システム１００は、様々な通信プロトコルのいずれかを利用する複数のネットワーク１１０を有してよい。ネットワーク１１０ａは無線ネットワークであってよく、その構成要素（例えば、基地局１２０、中継局１３０、及びエンドポイント１４０）の中の１又はそれ以上は、ＭＩＭＯ技術を有してよい。特定の態様において、ＭＩＭＯ技術を有するそれらの構成要素は、アプリケーションプロフィール及び／又は移動度特性に基づいてリンク適応を実施してよい。リンク適応は、ＭＩＭＯスキーム及びＭＣＳレベルが、エンドポイント及び／又は基地局で通常利用することができる情報に基づいて、そのリンクについて選択されることを可能にする。例えば、かかる情報には、リンクチャネル品質（例えば、信号対雑音比）、移動度情報（例えば、速度）、及び／又はアプリケーション要求（例えば、ＱｏＳ）等が含まれうる。実施形態に依存して、リンク適応は、アップリンク、ダウンリンク、又はそれら両方のために使用されてよい。
【００１２】
特定の態様において、利用可能な情報に基づいて、エンドポイント１４０ａ等のエンドポイントは、リンクに使用されるのに適したＭＩＭＯスキーム及びＭＣＳレベルの組合せを選択することができる。次いで、この選択は、フィードバック制御チャネルを介して基地局１２０等の基地局へ提案として送信されてよい。幾つかの実施形態において、エンドポイント１４０ａは、提案を行うことなく基地局１２０へ直接に、基礎を成す情報を送信してよい。エンドポイント１４０ａから送信された情報は、基地局１２０がＭＩＭＯスキーム及びＭＣＳレベルの適切な組合せに関してそれ自体の選択を行うのを助ける。
【００１３】
決定を行うために使用される技術にかかわらず、決定は、エンドポイント１４０ａによって実行される具体的なアプリケーションのためのＱｏＳ要求（例えば、遅延及びエラー許容）、エンドポイント１４０ａの相対移動度、又はエンドポイント１４０ａのアプリケーション及び移動度の組合せを満足するよう行われてよい。さらに、決定は、特定の態様では、ネットワークにとって何が最良であるか（例えば、リソースの最も有効な使用は何であるか）も考慮してよい。
【００１４】
幾つかの実施形態において、基地局１２０は、特定のリンクの構成を決定する際に付加的な情報を考慮してよい。例えば、基地局１２０は、複数の異なるエンドポイントの要件を満足するよう、その送信リソースを分配してよい。
【００１５】
各ネットワーク１１０は、独立して又は他のネットワークと関連して１又はそれ以上のサービスを助けるよう設計されている様々な通信ネットワークのいずれであってもよい。例えば、ネットワーク１１０は、インターネットアクセス、オンラインゲーム、ファイル共有、ピア・ツー・ピアファイル共有（Ｐ２Ｐ）、ボイス・オーバー・インターネット・プロトコル（ＶｏＩＰ）呼出、ビデオ・オーバーＩＰ呼出、又はネットワークによって供給されるその他タイプの機能性を助けることができる。ネットワーク１１０は、有線又は無線通信のための様々なプロトコルのいずれかを用いて、それらのそれぞれのサービスを提供してよい。例えば、ネットワーク１１０ａは、例えば、３Ｇ、８０２．１６（ＷｉＭＡＸとして広く知られている。）、ロング・ターム・エボリューション（ＬＴＥ）、ＬＴＥアドバンス（ＬＴＥ−Ａ）、又はＭＩＭＯ技術の使用をサポートするその他無線技術等の多種多様な無線技術のいずれか１つを有してよい。
【００１６】
通信システム１００は４つの異なったタイプのネットワーク、すなわち、ネットワーク１１０ａ〜１００ｄを有するが、語「ネットワーク」は、ウェブページ、電子メール、テキストチャット、ＶｏＩＰ及びインスタント・メッセージングを介して送信される信号、データ又はメッセージを含め、アナログ若しくはデジタル信号、データ、及び／又はメッセージを送信することができる何らかのネットワーク又はネットワークの組合せを概して定義すると解されるべきである。ネットワークの適用範囲、サイズ及び／又は構成に依存して、ネットワーク１１０ａ〜１１０ｄのいずれか１つは、ＬＡＮ、ＷＡＮ、ＭＡＮ、ＰＳＴＮ、ＷｉＭＡＸネットワーク、ＬＴＥネットワーク、ＬＴＥ−Ａネットワーク、インターネット等の地球規模で分布するネットワーク、イントラネット、イーサネット(登録商標)、又は無線若しくは有線ネットワーキングのその他形態として実施されてよい。
【００１７】
ネットワーク１１０は、複数の有線リンク１６０、無線リンク１５０、及びノード１７０を介して互いと及び他のネットワークと接続されてよい。ネットワーク１１０ａ〜１１０ｄの相互接続は、エンドポイント１４０が互いの間でデータをやり取りしかつシグナリングを制御することを可能にするとともに、あらゆる中間構成要素又はデバイスがデータをやり取りしかつ信号を制御することを可能にする。従って、エンドポイント１４０のユーザは、１又はそれ以上のネットワーク１１０ａ〜１１０ｄに結合されている各ネットワーク構成要素の間でデータを送信及び受信しかつ信号を制御することができる。例示及び説明の簡単のために、ネットワーク１１０ａは、少なくとも部分的に４Ｇネットワーキング規格により実施されるＭＡＮであり、ネットワーク１１０ｂはＰＳＴＮであり、ネットワーク１１０ｃはＬＡＮであり、ネットワーク１１０ｄはＷＡＮである。
【００１８】
幾つかの実施形態において、ネットワーク１１０ａの無線リンク１５０は、アップリンク及びダウンリンクを有してよい。アップリンク及びダウンリンクは、多数の無線接続を有してよい（例えば、エンドポイントで実行される各アプリケーションは、無線リンクを介するそれ自体の接続を有してよい。）。特定の態様において、無線リンク１５０は、例えば、ＷｉＭＡＸ又はＬＴＥ−Ａを使用している。無線接続、すなわち、リンクは、例えば、（例えば、ダウンリンク又はアップリンクＭＡＰで記載されるような）特定の中心周波数、特定の帯域幅、特定の時間スロット、及び／又は特定のサブチャネルの組合せ等の様々な無線リソースを有してよい。さらに、距離、干渉、移動度、及び障害等の外部要因は、信号の特性を変更することがある。
【００１９】
ノード１７０は、通信システム１００においてパケットの交換を可能にする任意数の通信プロトコルを実施するネットワーク構成要素、モデム、セッション境界コントローラ、ゲートキーパー、ＩＳＮゲートウェイ、ＷＳＮゲートウェイ、セキュリティ・ゲートウェイ、ＯＡＭ＆Ｐ（Operation  Administration  Maintenance  and  Provisioning）サーバ、ネットワークアクセスプロバイダ（ＮＡＰ）サーバ、基地局、カンフェレンス・ブリッジ、ルータ、ハブ、スイッチ、ゲートウェイ、エンドポイント、あるいは、その他のハードウェア、エンコードされたソフトウェア、又は埋め込みロジックの何らかの組合せを有してよい。例えば、ノード１７０ｅはゲートウェイを有してよい。これは、ネットワーク１１０ｂ、すなわち、ＰＳＴＮネットワークが、例えばネットワーク１１０ｄ、すなわち、ＩＰネットワーク等の他の非ＰＳＴＮネットワークからの通信を送信及び受信することができるようにする。ゲートウェイとして、ノード１７０ｅは、異なるネットワークによって使用される様々なプロトコルの間の通信を解釈するよう働くことができる。
【００２０】
エンドポイント１４０は、基地局１２０との間でデータ及び／又は信号を無線で送受信することができるあらゆるタイプのエンドポイントを有してよい。エンドポイント１４０は、ハードウェア、コンピュータ可読媒体に埋め込まれているエンコードされたソフトウェア、及び／又はハードウェアに組み込まれ若しくは別なふうに記憶されているエンコードされたロジック（例えば、ファームウェア）の何らかの組合せを通じてユーザにデータ又はネットワークサービスを提供してよい。例えば、エンドポイント１４０ａ〜１４０ｇには、ネットワーク１１０を用いてパケット（又はフレーム）の通信をサポートするＩＰ電話、コンピュータ、ラップトップ、ビデオモニタ、カメラ、パーソナル・データ・アシスタント（ＰＤＡ）、携帯電話機、スマートフォン、あるいは、その他のハードウェア、エンコードされたソフトウェア、及び／又はエンコードされたロジックが含まれてよい。エンドポイント１４０には、さらに、無人若しくは自動システム、ゲートウェイ、他の中間構成要素、あるいは、データ及び／又は信号を送信又は受信することができる他のデバイスが含まれてよい。
【００２１】
無線ネットワーク１１０ａ内で、エンドポイント１４０ａ〜１４０ｄのそれぞれは、基地局１２０又は中継局１３０の一方に接続されている。簡単のために、エンドポイントが接続されている構成要素は、概して、アクセス局と呼ばれる。例えば、エンドポイント１４０ａに係るアクセス局は、中継局１３０ａである。
【００２２】
図１は、特定の数及び構成のエンドポイント、接続、リンク、及びノードを表すが、通信システム１００は、データを通信するためのかかる構成要素について任意の数又は配置を考える。例えば、通信システム１００は、より少ない、又はより多いネットワーク１１０を有してよい。さらに、ネットワーク１１０の間の相互接続は、図１に表されるものと異なってよい。さらに、通信システム１００の要素には、互いに対して中心に位置し（ローカル）又は通信システム１００の全体にわたって分配される構成要素が含まれてよい。
【００２３】
図２は、特定の態様に従う、より詳細に表されたアクセス局を有する無線ネットワークを表す。より具体的に、表されている実施形態は、ネットワーク２０５、アクセス局２１０及びエンドポイント２７０を有する簡単なシナリオである。様々な実施形態において、ネットワーク２０５は、任意数の有線若しくは無線ネットワーク、基地局、中継局、エンドポイント、及び／又は、有線若しくは無線接続のいずれによろうとデータ及び／又は信号の通信に関与し若しくは助けるその他構成要素を有してよい。
【００２４】
各エンドポイント２７０及びアクセス局２１０は、別個のコンピュータシステムとして考えられてよい。シナリオ、構成、及び／又はエンドポイントに依存して、エンドポイント２７０及び／又はアクセス局２１０は、１又はそれ以上のコンピュータシステムの１又はそれ以上の部分を有してよい。特定の態様において、これらのコンピュータシステムの１又はそれ以上は、ここで記載又は図示される１又はそれ以上の方法の１又はそれ以上のステップ（段階）を実行してよい。特定の態様において、１又はそれ以上のコンピュータシステムは、ここで記載又は図示される機能性を提供してよい。特定の態様において、１又はそれ以上のコンピュータシステムで実行されるエンコードされたソフトウェアは、ここで記載又は図示される１又はそれ以上の方法の１又はそれ以上のステップを実行し、あるいは、ここで記載又は図示される機能性を提供してよい。
【００２５】
エンドポイント２７０及び／又はアクセス局２１０の構成要素は、あらゆる適切な物理的な形態をとってよく、それらは、あらゆる適切な態様で配置されてよい。簡単のために、アクセス局２１０の構成要素についてしか詳細に論じない。なお、実施形態及び構成に依存して、エンドポイント２７０は、アクセス局２１０に関して論じられる任意の適切な数、タイプ及び／又はレイアウトの構成要素を有してよい。
【００２６】
限定されてない例として、アクセス局２１０は、埋め込みコンピュータシステム、システムオンチップ（ＳＯＣ）、シングルボード・コンピュータシステム（ＳＢＣ）（例えば、コンピュータ・オン・モジュール（ＣＯＭ）又はシステム・オン・モジュール（ＳＯＭ））、デスクトップコンピュータシステム、ラップトップ若しくはノートブック型コンピュータシステム、インタラクティブ型キオスク、メインフレーム、コンピュータシステムのメッシュ、携帯電話機、パーソナル・デジタル・アシスタント（ＰＤＡ）、サーバ、あるいは、これらの２又はそれ以上の組合せであってよい。
【００２７】
必要に応じて、アクセス局２１０は、１又はそれ以上のコンピュータシステムを有し、単一又は分配され、複数の場所に及び、複数の機械に及び、あるいは、１又はそれ以上のネットワークにおいて１又はそれ以上のクラウドコンポーネントを有するクラウド内にあってよい。必要に応じて、アクセス局２１０は、ここで記載又は例示される１又はそれ以上の方法の１又はそれ以上のステップを、実質的な空間的又は時間的な制限なく、実行してよい。限定されない例として、アクセス局２１０は、ここで記載又は例示される１又はそれ以上の方法の１又はそれ以上のステップを、実時間で、又はバッチモードで、実行してよい。１又はそれ以上のアクセス局２１０（あるいは、エンドポイント２７０）は、必要に応じて、ここで記載又は例示される１又はそれ以上の方法の１又はそれ以上のステップを、異なる時点で、又は異なる場所で、実行してよい。
【００２８】
特定の態様において、アクセス局２１０は、プロセッサ２１１、メモリ２１３、記憶装置２１５、入出力（Ｉ／Ｏ）インターフェース２１７、通信インターフェース２１９、及びバス２１２を有する。これらの構成要素は、無線リンクに関連するアプリケーションプロフィール及び移動度特性に基づいて動的なリンク適応を提供する等、無線ネットワーキング機能を提供するために、協働してよい。特定のアクセス局が、特定の配置において特定数の構成要素を有して表されているが、本開示は、あらゆる適切な配置であらゆる適切な構成要素をいくつでも有してよいあらゆる適切なアクセス局２１０（又はエンドポイント２７０）を考える。
【００２９】
特定の態様において、プロセッサ２１１は、コンピュータプログラムを編成すること等、命令を実行するハードウェアを有する。限定されない例として、命令を実行するよう、プロセッサ２１１は、内部レジスタ、内部キャッシュ、メモリ２１３、又は記憶装置２１５から命令を取り出し（すなわち、フェッチし）、それらをデコード及び実行し、次いで、１又はそれ以上の結果を内部レジスタ、内部キャッシュ、メモリ２１３、又は記憶装置２１５に書き込んでよい。特定の態様において、プロセッサ２１１は、データ、命令、又はアドレスのための１又はそれ以上の内部キャッシュを有してよい。本開示は、必要に応じて、あらゆる適切な内部キャッシュをいくつ有してもよいプロセッサ２１１を考える。限定されない例として、プロセッサ２１１は、１又はそれ以上の命令キャッシュ、１又はそれ以上のデータキャッシュ、及び１又はそれ以上の変換索引バッファ（ＴＬＢ）を有してよい。命令キャッシュにおける命令は、メモリ２１３又は記憶装置２１５における命令のコピーであってよく、命令キャッシュは、プロセッサ２１１によるそれらの命令の読出をスピードアップすることができる。データキャッシュにおけるデータは、プロセッサ２１１で実行する命令が作動するためのメモリ２１３又は記憶装置２１５におけるデータのコピー、プロセッサ２１１で実行するその後の命令によるアクセス又はメモリ２１３若しくは記憶装置２１５への書込ためにプロセッサ２１１で実行される前の命令の結果、あるいは、他の適切なデータであってよい。データキャッシュは、プロセッサ２１１による読出又は書込動作をスピードアップすることができる。ＴＬＢは、プロセッサ２１１のための仮想アドレス変換をスピードアップすることができる。特定の態様において、プロセッサ２１１は、データ、命令、又はアドレスのための１又はそれ以上の内部レジスタを有してよい。実施形態に依存して、プロセッサ２１１は、必要に応じて、あらゆる適切な内部レジスタをいくつ有してもよい。必要に応じて、プロセッサ２１１は、１又はそれ以上の数値演算ユニット（ＡＬＵ）を有し、マルチコアプロセッサであり、１又はそれ以上のプロセッサ２１１を有し、あるいは、その他の適切なプロセッサであってよい。
【００３０】
特定の態様において、メモリ２１３は、プロセッサ２１１が実行する命令又はプロセッサ２１１が扱うデータを記憶するメインメモリを有してよい。限定されない例として、アクセス局２１０は、記憶装置２１５又は他のソース（例えば、他のコンピュータシステム、他のアクセス局、又はエンドポイント）からメモリ２１３へ命令をロードしてよい。次いで、プロセッサ２１１は、メモリ２１３から内部レジスタ又は内部キャッシュへ命令をロードしてよい。命令を実行するよう、プロセッサ２１１は、内部レジスタ又は内部キャッシュから命令を取り出し、それらをデコードしてよい。命令の実行の間又は後、プロセッサ２１１は、１又はそれ以上の結果（中間又は最終の結果である。）を内部レジスタ又は内部キャッシュへ書き込んでよい。次いで、プロセッサ２１１は、それらの結果の１又はそれ以上をメモリ２１３に書き込んでよい。特定の態様において、プロセッサ２１１は、（記憶装置２１５又は他の場所とは対照的に）１又はそれ以上の内部レジスタ又は内部キャッシュ、あるいはメモリ２１３における命令のみを実行してよく、さらに、（記憶装置２１５又は他の場所とは対照的に）１又はそれ以上の内部レジスタ又は内部キャッシュ、あるいはメモリ２１３におけるデータにのみ作用してよい。１又はそれ以上のバス（それぞれは、アドレスバス及びデータバスを有してよい。）は、プロセッサ２１１をメモリ２１３に結合してよい。バス２１２は、後述されるように、１又はそれ以上のメモリバスを有してよい。特定の態様において、１又はそれ以上のメモリ管理ユニット（ＭＭＵ）は、プロセッサ２１１とメモリ２１３との間にあり、プロセッサ２１１が要求するメモリ２１３へのアクセスを助けてよい。特定の態様において、メモリ２１３は、ランダムアクセスメモリ（ＲＡＭ）を有してよい。このＲＡＭは、必要に応じて、揮発性メモリであってよい。必要に応じて、このＲＡＭは、動的ＲＡＭ（ＤＲＡＭ）又は静的ＲＡＭ（ＳＲＡＭ）であってよい。さらに、必要に応じて、このＲＡＭは、シングルポート又はマルチポートＲＡＭ、あるいは、その他の適切なタイプのＲＡＭ又はメモリであってよい。メモリ２１３は、必要に応じて、１又はそれ以上のメモリ２１３を有してよい。
【００３１】
特定の態様において、記憶装置２１５は、データ又は命令のための大容量記憶装置を有してよい。限定されない例として、記憶装置２１５は、ＨＤＤ、フロッピーディスク（登録商標）ドライブ、フラッシュメモリ、光ディスク、磁気光学ディスク、磁気テープ、又はユニバーサル・シリアル・バス（ＵＳＢ）ドライブ、あるいは、これらのうちの２又はそれ以上の組合せを有してよい。記憶装置２１５は、必要に応じて、取り外し可能な又は取り外し不可能な（すなわち、固定の）媒体を有してよい。記憶装置２１５は、必要に応じて、アクセス局２１０の内部又は外部にあってよい。特定の態様において、記憶装置２１５は、不揮発性のソリッドステートメモリであってよい。特定の態様において、記憶装置２１５は、読出専用メモリ（ＲＯＭ）を有してよい。必要に応じて、このＲＯＭは、マスクプログラムＲＯＭ、プログラム可能ＲＯＭ（ＰＲＯＭ）、消去可能ＰＲＯＭ（ＥＰＲＯＭ）、電気的消去可能ＰＲＯＭ（ＥＥＰＲＯＭ）、電気的消去再書き込みＲＯＭ（ＥＡＲＯＭ）、又はフラッシュメモリ、あるいは、これらのうちの２又はそれ以上の組合せであってよい。大容量記憶装置２１５は、あらゆる適切な物理的な形態をとってよく、あらゆる適切な数又はタイプの記憶装置を有してよい。記憶装置２１５は、必要に応じて、プロセッサ２１１と記憶装置２１５との間の通信を助ける１又はそれ以上の記憶制御ユニットを有してよい。
【００３２】
特定の態様において、Ｉ／Ｏインターフェース２１７は、アクセス局２１０と１又はそれ以上のＩ／Ｏデバイスとの間の通信のための１又はそれ以上のインターフェースを提供するハードウェア、エンコードされたソフトウェア、又はそれら両方を有してよい。アクセス局２１０は、必要に応じて、かかるＩ／Ｏデバイスのうちの１又はそれ以上を有してよい。かかるＩ／Ｏデバイスのうちの１又はそれ以上は、ユーザとアクセス局２１０との間の通信を可能にしてよい。限定されない例として、Ｉ／Ｏデバイスは、キーボード、キーパッド、マイクロフォン、モニタ、マウス、プリンタ、スキャナ、スピーカ、スチールカメラ、スタイラス、タブレット、タッチスクリーン、トラックボール、ビデオカメラ、他の適切なＩ／Ｏデバイス、あるいは、これらのうちの２又はそれ以上の組合せを有してよい。特定の態様は、あらゆる適切なタイプ及び／又は数のＩ／Ｏデイバスと、それらのためのあらゆる適切なタイプ及び／又は数のＩ／Ｏインターフェース２１７とを有してよい。必要に応じて、Ｉ／Ｏインターフェース２１７は、プロセッサ２１１がこれらのＩ／Ｏデバイスの１又はそれ以上を駆動することを可能にする１又はそれ以上のデバイス、あるいはエンコードされたソフトウェアを有してよい。Ｉ／Ｏインターフェース２１７は、必要に応じて、１又はそれ以上のＩ／Ｏインターフェース２１７を有してよい。
【００３３】
特定の態様において、通信インターフェース２１９は、アクセス局２１０と１又はそれ以上の他のアクセス局、エンドポイント及びネットワークとの間の通信（例えば、パケットに基づく通信）のための１又はそれ以上のインターフェースを提供するハードウェア、エンコードされたソフトウェア、又はそれら両方を有してよい。限定されない例として、通信インターフェース２１９は、３Ｇ、４Ｇ、ＷｉＭＡＸ、ＬＴＥ、ＬＴＥ−Ａ、又はＷｉ−Ｆｉネットワーク等の無線ネットワークと通信するためのイーサネット（登録商標）又は他の有線に基づくネットワーク若しくは無線ＮＩＣ（ＷＮＩＣ）若しくは無線アダプタと通信するためのネットワークインターフェースコントローラ（ＮＩＣ）又はネットワークアダプタを有してよい。幾つかの実施形態において、通信インターフェース２１９は、例えば、ＭＩＭＯ技術と関連して使用される複数のアンテナを有してよい。実施形態に依存して、アクセス局２１０は、あらゆる適切なネットワークで使用されてよく、そのためのあらゆる適切な通信インターフェース２１９を有してよい。限定されない例として、アクセス局２１０は、ホック（ｈｏｃ）ネットワーク、パーソナルエリアネットワーク（ＰＡＮ）、ローカルエリアネットワーク（ＬＡＮ）、ワイドエリアネットワーク（ＷＡＮ）、メトロポリタンエリアネットワーク（ＭＡＮ）、又はインターネットの１若しくはそれ以上の部分、あるいは、これらのうちの２又はそれ以上の組合せと通信してよい。これらのネットワークのうちの１又はそれ以上の１又はそれ以上の部分は、有線又は無線であってよい。一例として、アクセス局２１０は、無線ＰＡＮ（ＷＰＡＮ）（例えば、ブルートュースＷＰＡＮ）、Ｗｉ−Ｆｉネットワーク、Ｗｉ−ＭＡＸネットワーク、ＬＴＥネットワーク、ＬＴＥ−Ａネットワーク、携帯電話ネットワーク（例えば、ＧＳＭ（Global  System  for  Mobile  Communications）ネットワーク）、又はあらゆる他の適切な無線ネットワーク、あるいは、これらのうちの２又はそれ以上の組合せと通信してよい。基地局２１０は、必要に応じて、これらのネットワークのいずれのためのあらゆる適切な通信インターフェース２１９を有してよい。通信インターフェース２１９は、必要に応じて、１又はそれ以上の通信インターフェース２１９を有してよい。
【００３４】
特定の態様において、バス２１２は、アクセス局２１０の構成要素を互いに結合するハードウェア、エンコードされたソフトウェア、又はそれら両方を有してよい。限定されない例として、バス２１２は、ＡＧＰ（Accelerated  Graphics  Port）若しくは他のグラフィックス・バス、ＥＩＳＡ（Enhanced  Industry  Standard Architecture）バス、フロントサイド・バス（ＦＳＢ）、ハイパートランスポート（ＨＴ）・インターコネクト、ＩＳＡ（Industry  Standard Architecture）バス、インフィニバンド・インターコネクト、ローピンカウント（ＬＰＣ）バス、メモリバス、ＭＣＡ（Micro  Channel  Architecture）バス、ＰＣＩ（Peripheral  Component  Interconnect）バス、ＰＣＩエクスプレス（ＰＣＩ−Ｘ）バス、ＳＡＴＡ（Serial  Advanced  Technology  Attachment）バス、ＶＬＢ（Video  Electronics  Standards  Association  local）バス、又はその他の適切なバス、あるいは、これらのうちの２又はそれ以上の組合せを有してよい。バス２１２は、必要に応じて、あらゆる数、タイプ、及び／又は構成のバス２１２を有してよい。
【００３５】
ここで、コンピュータ可読記憶媒体と呼ばれる場合、１又はそれ以上の有形なコンピュータ可読記憶媒体を持った構成が含まれる。限定されない例として、コンピュータ可読記憶媒体は、必要に応じて、半導体に基づく若しくは他の集積回路（ＩＣ）（例えば、フィールド・プログラマブル・ゲート・アレイ（ＦＰＧＡ）又は特定用途向けＩＣ（ＡＳＩＣ））、ハードディスク、ＨＤＤ、ハイブリッドハードドライブ（ＨＨＤ）、光ディスク、光ディスクドライブ（ＯＤＤ）、磁気光学ディスク、磁気光学ドライブ、フロッピーディスク（登録商標）、フロッピーディスク（登録商標）ドライブ、磁気テープ、ホログラフィック記憶媒体、ソリッドステートドライブ（ＳＳＤ）、ＲＡＭドライブ、セキュアデジタルカード、セキュアデジタルドライブ、フラッシュメモリカード、フラッシュメモリドライブ、又はその他の適切なコンピュータ可読記憶媒体、あるいは、これらのうちの２又はそれ以上の組合せを有してよい。ここで、コンピュータ可読記憶媒体と呼ばれる場合、３５Ｕ．Ｓ．Ｃ§１０１の下で特許権保護を受けられない如何なる媒体も除かれる。ここで、コンピュータ可読記憶媒体と呼ばれる場合、３５Ｕ．Ｓ．Ｃ§１０１の下で特許権保護を受けられない限りにおいて、信号送信の一時的な形態（例えば、伝播する電気的又は電磁気的な信号自体）は除かれる。
【００３６】
特定の態様は、あらゆる適切な記憶装置を実施する１又はそれ以上のコンピュータ可読記憶媒体を有してよい。特定の態様において、コンピュータ可読記憶媒体は、必要に応じて、プロセッサ２１１の１又はそれ以上の部分（例えば、１又はそれ以上の内部レジスタ又はキャッシュ）、メモリ２１３の１又はそれ以上の部分、記憶装置２１５の１又はそれ以上の部分、あるいは、これらの組合せを実施する。特定の態様において、コンピュータ可読記憶媒体は、ＲＡＭ又はＲＯＭを実施する。特定の態様において、コンピュータ可読記憶媒体は、揮発性の又は永続的なメモリを実施する。特定の態様において、１又はそれ以上のコンピュータ可読記憶媒体は、エンコードされたソフトウェアを具現する。
【００３７】
ここで、エンコードされたソフトウェアと呼ばれる場合、必要に応じて、コンピュータ可読記憶媒体において記憶又はエンコードされている１又はそれ以上のアプリケーション、バイトコード、１又はそれ以上のコンピュータプログラム、１又はそれ以上の実行ファイル、１又はそれ以上の命令、ロジック、機械コード、１又はそれ以上のスクリプト、あるいは、ソースコード等が含まれる。特定の態様において、エンコードされたソフトウェアは、コンピュータ可読記憶媒体において記憶又はエンコードされている１又はそれ以上のアプリケーションプログラミングインターフェース（ＡＰＩ）を有する。特定の態様は、あらゆる適切なタイプ又は数のコンピュータ可読記憶媒体において記憶又はエンコードされているあらゆる適切なプログラミング言語又はプログラミング言語の組合せで書き込まれ、又は別なふうに表現されているあらゆる適切なエンコードされたソフトウェアを使用してよい。特定の態様において、エンコードされたソフトウェアは、ソースコード又はオブジェクトコードとして表されてよい。特定の態様において、エンコードされたソフトウェアは、例えば、Ｃ、Ｐｅｒｌ、又はそれらの適切な拡張等の高水準のプログラミング言語で表される。特定の態様において、エンコードされたソフトウェアは、アセンブリ言語（又は機械コード）等の低水準のプログラミング言語で表される。特定の態様において、エンコードされたソフトウェアはＪＡＶＡ(登録商標)で表される。特定の態様において、エンコードされたソフトウェアは、ハイパーテキストマークアップ言語（ＨＴＭＬ）、拡張可能マークアップ言語（ＸＭＬ）、又は他の適切なマークアップ言語で表される。
【００３８】
ネットワーク２０５は、１又はそれ以上の異なる技術又はプロトコルを用いて、１又はそれ以上の異なるオペレータによって操作される１又はそれ以上の相互接続ネットワークを有してよい。ネットワーク２０５は単一のネットワークとして表されているが、それは、図１に関連して上述されたように、ネットワークをいくつ有してもよい。例えば、ネットワーク２０５は、インターネット、ＬＡＮ、ＷＡＮ、ＭＡＮ、ＰＳＴＮ、又はこれらのあらゆる組合せを有してよい。
【００３９】
図２に表されている構成要素及びデバイスは、リンク適応を提供するために使用されてよい。リンク適応は、最新の３Ｇ及び４Ｇ無線システム（例えば、ＷｉＭＡＸ、ＬＴＥ、ＬＴＥ−Ａ等）とともに使用されてよい。特定の態様において、リンク適応は、無線リンクのためのチャネル品質情報と、無線リンク上の１又はそれ以上のプログラムのためのアプリケーションプロフィールと、無線リンクを確立するエンドポイント（例えば、エンドポイント２７０ａ）の移動度表示とを含む少なくとも２又はそれ以上の因子の組合せに基づいて、無線リンクのアップリンク及び／又はダウンリンクのために通信インターフェース２１９によって使用される変調及び符号化スキーム（ＭＣＳ）レベルの調整を提供してよい。例えば、無線リンクが弱い状態（poor  state）にある場合（例えば、信号対雑音比（ＳＮＲ）が低い場合）、より低いＭＣＳレベルが、そのスペクトル効率の悪さにかかわらず、送信の信頼性を高めるために使用されてよい。反対に、例えば、無線リンクが良好な状態（good  state）にある場合（例えば、ＳＮＲが高い場合）、より高いＭＣＳレベルが、より高いスペクトル効率を得るために使用されてよい。
【００４０】
各ＭＣＳレベルはＳＮＲ閾値と関連付けられてよく、ＳＮＲ閾値を下回ると、ビットエラーレート（ＢＥＲ）は受け入れ難いほど高いとみなされる。特定の態様は、無線リンクの少なくとも１つの接続のアプリケーションプロフィール又は移動度表示の少なくとも１つを考慮しながら、ＳＮＲ閾値が無線リンクの現在のＳＮＲよりも小さい最大のＭＣＳレベルを選択してよい。
【００４１】
適切なＭＣＳレベルを選択することに加えて、特定の態様は、また、特定の無線リンクに適したＭＩＭＯスキームを選択してよい。利用可能なＭＩＭＯスキームは、例えば、空間マルチプレキシング（ＳＭ）又は送信ダイバーシティ技術（例えば、ＳＴＢＣ（Space  Time  Block  Codes）又はＳＦＢＣ（Space  Frequency  Block  Codes））を有してよい。ＳＭは、より高いスペクトル効率を提供することができ、一方、ＳＴＢＣ／ＳＦＢＣは、より高い信頼性を提供することができる。
【００４２】
シナリオに依存して、エンドポイント２７０の移動度は、（固定のエンドポイントと比較して、）例えばチャネル品質において、無線リンクで異常な変動を引き起こすことがある。このような変動は、無線リンクのデータスループットに影響を与えうる。然るに、エンドポイント２７０の移動度は、特定のＳＮＲのために使用されるＭＩＭＯスキーム及び／又はＭＣＳレベルのタイプに影響を与えうる。エンドポイントが速度を上げるにつれ、信頼性の必要性も高まる。然るに、特定の態様は、ＳＮＲのみが考慮される場合に選択されるものに比べて、移動しているエンドポイントのために、よりロバストなリンクパラメータを選択してよい。例えば、エンドポイントの移動が速いほど、より低いＳＮＲでＳＭからＳＴＢＣ／ＳＦＢＣへ切り替わる。これは、ＳＴＢＣ／ＳＦＢＣスキームがＳＭよりも信頼性が高いためである。従来の基地局は、移動度に関係なくＭＣＳレベルを選択するために平均ＳＮＲを使用するが、特定の態様は、エンドポイント２７０の移動度を含めることによって、より正確に無線リンクの品質を反映する選択を行うことができる。
【００４３】
異なるタイプのアプリケーションは、異なるＱｏＳ要求を有する。ＱｏＳ要求は、遅延及びパケット損失レート等の因子を有してよい。幾つかのプロトコル又は技術は、パケットエラーを補正し、又はパケットエラーに応答する技術（例えば、ＨＡＲＱ）を有する。かかる技術は、不良パケットに応答して遅延を加えてよい。従って、チャネルが不良である場合、特定の態様は、不良パケットのための再送信の数を減らすよう、より信頼できるＭＣＳ／ＭＩＭＯ組合せを使用してよい。これにより、パケット遅延は小さくなる。反対に、チャネル品質が良好である場合、特定の態様は、高いスペクトル効率を提供するＭＣＳ／ＭＩＭＯ組合せを利用してよい。パケットが再送信されなければならない可能性がより低いことから、より高い効率が使用されてよい。特定の態様は、無線リンクを用いる特定のアプリケーションのためのＱｏＳ要求を鑑みて、より高い信頼性とより高い効率との間のトレードオフを考慮してよい。例えば、音声対話（conversational  voice）とともに使用されるアプリケーションは、比較的高いパケット損失レート（例えば、１０−２）を許容することができるが、比較的厳しい遅延要件（例えば、１００ｍｓ）を有することがある。他の例として、ファイル共有アプリケーションは、比較的低いパケットエラーレート（例えば、１０−６）を許容するが、比較的長い遅延（例えば、３００ｍｓ）を許容することができる。これら２つの極端な場合の間には、それぞれの遅延許容範囲及び損失エラーレートに係る要件を備えた他のアプリケーションが存在する。ＱｏＳ要求は、メモリ２１３、記憶装置２１５、又は遠隔に記憶されてよい。
【００４４】
異なるアプリケーションの他の特性は、それらそれぞれのソースの統計的分布であってよい。例えば、ＶｏＩＰアプリケーションのためのメディアアクセスコントロール・パケットデータユニット（ＭＡＣ  ＰＤＵ）サイズは、ストリーミング映画のＩフレームの平均ＭＡＣ  ＰＤＵサイズ（例えば、５６４０バイト）と比べて、比較的小さい（例えば、４２バイト）。ＭＡＣ  ＰＤＵが大きいほど、エラーの影響を受けやすくなる。特定の態様は、送信されるべきデータを、より小さいブロックに分割してよい。これらのより小さいブロックのサイズは、エンドポイントの移動度、アプリケーションプロフィール、及び／又はＳＮＲに基づいて決定されてよい。
【００４５】
特定の態様において、基地局２１０のプロセッサ２１１（又はエンドポイント２７０ｂのプロセッサ）は、ＳＮＲ、アプリケーションを用いる無線リンクのアプリケーションプロフィール、及びそれぞれのエンドポイント２７０の移動度に基づいて、信頼性と効率との間の適切なバランスを提供するよう、様々なＭＩＭＯスキーム及びＭＳＣレベルの間で選択を行ってよい。このことは、アプリケーション及び移動度を意識したリンク適応を可能にすることができる。無線リンクに関連するアプリケーションプロフィール及び移動度を考慮して、基地局２１０は、物理レイヤ決定からクロスレイヤ決定へと従来の適応を動かしてよい。このことは、移動度特性及びチャネル状態を前提として、アプリケーションの要件（例えば、ＱｏＳ要求）をより良く満足するリンク適応決定を可能にすることができる。
【００４６】
ＳＮＲ、アプリケーションプロフィール、及び／又は移動度に関する情報は、様々な方法で決定、検出、又は通信されてよい。例えば、幾つかの実施形態において、及び幾つかのシナリオにおいて、エンドポイント２７０ａは、特定のＭＣＳレベルを推奨する４ビットの呼出品質表示（call  quality  indication）（ＣＱＩ）インデックスと、空間マルチプレキシングＭＩＭＯスキームで使用されるべきプレコーディングマトリクスを示すプレコーディングマトリクス・インジケータ（ＰＭＩ）とを送信してよい。ある実施形態において、及びある状況において、エンドポイント２７０ｂは、ＣＱＩに加えて、２ビットのＭＩＭＯスキーム提案（例えば、ＳＭ、ＳＴＢＣ／ＳＦＢＣ、又は他のＭＩＭＯスキーム）を送信してよい。
【００４７】
４ビットＣＱＩ及び２ビットＭＩＭＯスキームに加えて、幾つかの実施形態は、エンドポイントの移動度に関してフィードバックを提供する２ビットの移動度表示を有してよい。幾つかの実施形態において、基地局２１０は、単独で（例えば、移動度表示を受け取ることなく）エンドポイントの移動度を決定することができる。特定の態様において、移動度表示は、エンドポイントの移動度を４つのクラス、すなわち、（１）インドア（＜１０ｋｍ／時）、（２）マイクロセルラ（１０から３０ｋｍ／時）、（３）基本カバレージ・アーバン（３０から１２０ｋｍ／時）及び（４）高速（１２０から３５０ｋｍ／時）に量子化してよい。
【００４８】
特定の態様において、エンドポイント２７０は、提案（例えば、特定のＭＳＣ／ＭＩＭＯスキーム）を基地局２１０へ送るために制御チャネルを使用してよい。これは、エンドポイント２７０ａが、例えば、アプリケーションプロフィール、ＳＮＲ、及び移動度情報に基づいて適切なＭＣＳ／ＭＩＭＯ組合せを決定する場合に、行われてよい。エンドポイント２７０ａはそれ自身の無線リンクに対して情報を供給しているので、エンドポイント２７０ａは、例えばエンドポイント・サウンディング（sounding）信号を用いてＳＮＲ情報を推定する基地局とは対照的に、ＳＮＲを知っている。さらに、エンドポイント２７０ａは提案を行う際に自身の移動度を考慮しているので、エンドポイント２７０ａには移動度フィードバックを提供する必要がない。このアプローチは、基地局２１０からエンドポイント２７０へプロセッシング負荷を移すことができる。
【００４９】
ここまで、複数の異なる実施形態及び特徴が提示されてきた。特定の態様は、操作必要性及び／又は構成要素の制限に依存して、これらの特徴のうちの１又はそれ以上を組み合わせてよい。このことは、様々な機関及びユーザの必要性に対するネットワーク２００の大いなる適応性を可能にすることができる。例えば、特定の態様は、大都市圏に無線アクセスを提供するために複数のアクセス局を使用してよい。幾つかの実施形態は、付加的な特徴を有してよい。
【００５０】
図３Ａ及び３Ｂは、概して、リンク適応決定が行われる前後の情報のフローを表す。具体的に、図３Ａは、特定の態様に従って、基地局で行われるリンク適応決定を表すブロック図を示し、図３Ｂは、特定の態様に従って、エンドポイントで行われるリンク適応決定を表すブロック図を示す。
【００５１】
図３Ａに関して、リンク適応ユニット３１０ａは、上述された基地局２１０等の基地局の一部である。リンク適応ユニット３１０ａは、ＣＱＩ情報３２２ａ及び移動度情報３２４ａを受け取る。この情報は、例えばエンドポイント２７０ｂ等のエンドポイントから受け取られてよく、あるいは、情報は、基地局で局所的に決定されてよく、あるいは、情報は、前者２つの組合せを通じて収集されてよい。リンク適応ユニット３１０ａは、また、アプリケーションプロフィール情報３３２ａ及びスケジューリングリソース情報３３４ａを受け取ってよい。この情報は、基地局から容易に入手可能であってよい。集合的に、ＣＱＩ情報３２２ａ、移動度情報３２４ａ、アプリケーションプロフィール情報３３２ａ及びスケジューリングリソース情報３３４ａは、入力情報３８０ａと呼ばれてよい。
【００５２】
入力情報３８０ａを用いて、リンク適応ユニット３１０ａは、（セグメンテーションブロック３４０ａに与えられる）コードブロックサイズと、（チャネルエンコーダ３５２ａ及びシンボルマッパ（mapper）３５４ａに与えられる）ＭＣＳレベルと、（ＭＩＭＯスキームユニット３６０ａに与えられる）ＭＩＭＯスキームとを出力してよい。先に暗に示されたように、基地局及びエンドポイントの実施形態及び機能に依存して、基地局は、エンドポイントから移動度情報３２４ａを受け取ってよく、あるいは、基地局は、エンドポイントによって送信された基準信号のドップラ・スペクトルを分析することによりエンドポイントの移動度を決定してよい。同様に、チャネル品質情報３２２ａは、エンドポイントによって供給されるＣＱＩインデックス値として受け取られてよく、あるいは、基地局は、（例えば、アップリンク品質及び相互依存又はエンドポイント・サウンディングに基づいて）リンク品質を推定してよい。
【００５３】
図３Ｂに関して、２つのリンク適応ユニットが存在し、リンク適応ユニット３１２ｂは、例えば基地局２１０等の基地局の一部であり、リンク適応ユニット３１４ｂは、例えばエンドポイント２７０ｂ等のエンドポイントの一部である。エンドポイントにおけるリンク適応ユニット３１４ｂは、アプリケーションプロフィール３３２ｂ、ＳＮＲ情報３２２ｂ、及び移動度情報３２４ｂに基づいて、ＭＣＳレベル及びＭＩＭＯスキームを決定してよい。リンク適応ユニット３１４ｂによって行われるＭＣＳ及びＭＩＭＯの決定は、基地局におけるリンク適応ユニット３１２ｂへの提案として、基地局へ送信されてよい。次いで、リンク適応ユニット３１２ｂは、この情報を、コードブロックサイズ、ＭＣＳ、及びＭＩＭＯスキームに関する最終の決定を行うよう、スケジューリングリソース情報３３４ｂとともに使用してよい。
【００５４】
アプリケーションプロフィール情報３３２は、ＳＮＲの関数として特定のアプリケーションの推定される遅延及びスループット曲線を有してよい。この情報は、必要に応じて、基地局又はエンドポイントで局所的に事前に決定され記憶されてよい。
【００５５】
リンク適応機能が単独で基地局内にあるのか（図３Ａ）、あるいは、エンドポイントと基地局との間に分配されるのか（図３Ｂ）にかかわらず、アプリケーションプロフィールを必要とする決定プロセスは、特定の態様において、２つの段階に分けられてよい。第１の段階において、ＭＣＳ／ＭＩＭＯの選択は、（例えば、アプリケーションプロフィールから確かめられるような）目標の遅延及びパケットエラー損失レートの要件を満足する組合せの組に制限されてよい。第２の段階において、第１の段階によって出力される組合せの集合の中でスループットを最大とするＭＣＳ／ＭＩＭＯスキームが選択されてよい。
【００５６】
一般的に言えば、対象の動きは、特定の周波数でのチャネルの統計的分布を与えるドップラ・スペクトルを引き起こす。ドップラ・スペクトルは、（ｆ−ｆＤ，ｆ＋ｆＤ）に関して零ではない。ここで、ｆＤは、ｆＤ＝（ｆｃｖ／ｃ）ｃｏｓθｍと計算される最大ドップラ・スプレッドである。ここで、ｖは対象の速度であり、ｃは高速であり、ｆｃは動作周波数であり、θｍは、動いている対象間の相対角度である。
【００５７】
リンク適応機能が単独で基地局内にあるのか（図３Ａ）、あるいは、エンドポイントと基地局との間に分配されるのか（図３Ｂ）にかかわらず、エンドポイントの移動度を必要とする決定プロセスは、特定の態様において、２つの段階に分けられてよい。第１の段階において、エンドポイントの移動度は、性能曲線の集合を生成するよう、考慮されてよい。次いで、曲線の集合は、スループットを最大とし及び／又は遅延を最小とするよう、次の段階で使用されてよい。
【００５８】
図４は、特定の態様に従う、アプリケーションプロフィール及びエンドポイント移動度に基づいてリンク適応を実施する方法を表す。特定の態様は、チャネル状態（例えば、ＳＮＲ及び／又は移動度）を鑑みて、アプリケーションレイヤのＱｏＳ要求（例えば、遅延及びエラー許容）を満足するよう、リンクレイヤ・パラメータを設定してよい。表されている方法は、様々なＭＩＭＯ及び／又はＭＣＳスキームをサポートする幅広い次世代通信システム（例えば、ＬＴＥ−Ａ及びＷｉＭＡＸ）に適用可能であってよい。
【００５９】
方法は、少なくとも１つのエンドポイントとアクセス局との間の無線リンクの確立により、ステップ４００で始まる。無線リンクは複数の接続を有してよい。例えば、幾つかの実施形態において、エンドポイントは、アクセス局との無線リンクを確立して、その無線リンクを、複数のアプリケーションに関連する複数の接続（例えば、１つの接続はＶｏＩＰ用であり、他の接続はデータ伝送セッション用である、等）をサポートするために使用してよい。リンクは、様々な無線技術及び／又はプロトコルのいずれかを用いて確立されてよい。例えば、無線接続は、３Ｇ、４Ｇ、ＷｉＭＡＸ、ＬＴＥ、又はＬＴＥ−Ａ無線接続であってよい。
【００６０】
ステップ４０５で、無線リンクに関連する接続のうちの１つに関連するアプリケーションが検出される。アプリケーションは基地局又はエンドポイントのいずれかによって検出されてよい。例えば、エンドポイントは、何のアプリケーションをエンドポイントが実行しているのかに基づいて、アプリケーションを検出することができる。他の例として、基地局は、そのアプリケーションのための接続の確立の間交換されるシグナリングに基づいて、アプリケーションを検出することができる。
【００６１】
ステップ４１０で、無線リンクに関連する接続に関連するアプリケーションプロフィールが決定される。これは、局所的に又は遠隔で記憶されている情報を有してエンドポイント又は基地局で行われてよい。特定の態様において、アプリケーションプロフィールは、ステップ４０５で検出されたアプリケーション又はアプリケーションタイプに基づいてよい。例えば、エンドポイントが特定のＶｏＩＰアプリケーションを実行している場合、ステップ４１０は、エンドポイントが音声対話タイプのアプリケーションを実行していると決定することを伴ってよい。
【００６２】
ステップ４１５で、アプリケーションに関連するパケット遅延量及びパケットエラー損失レートが（エンドポイント又は基地局によって）決定される。幾つかの実施形態において、パケット遅延量及びパケットエラー損失レートは、多種多様なアプリケーションに関連するパケット遅延量及びパケットエラー損失レートをリストアップするテーブルから決定されてよい。例えば、ＬＴＥ仕様は、９つの異なるタイプのアプリケーションプロフィールを含むテーブルを有する。
【００６３】
ステップ４２０で、エンドポイントの移動速度を示す移動度表示が受け取られる。実施形態及び／又はシナリオに依存して、移動度表示はエンドポイントから受け取られても、又は基地局によって計算されてもよい。例えば、特定の態様において、エンドポイントに係る移動度表示は、エンドポイントによって与えられるサウンディング信号を用いて基地局によって計算されてよい。幾つかの実施形態において、エンドポイントは、自身の移動度の認識を通信してよい。実施形態に依存して、移動度表示は、特定のクラスの速度の選択を有してよい。
【００６４】
ステップ４２５で、少なくとも１つの性能曲線が、移動度表示に基づいて適応される。少なくとも１つの性能曲線は、無線リンクの少なくとも１つのパラメータを、検出されるＳＮＲと相関させる。この適応は、エンドポイントの移動速度が速いほど起こりうる無線接続の劣化に対処することができる。性能曲線は、ブロックエラーレート対ＳＮＲ、及び遅延対ＳＮＲを相関させてよい。曲線は、本来は、（例えば、リンクレベルシミュレータ又は実際の測定により）所与の移動度、ＭＩＭＯスキーム、コードブロックサイズ、及びＭＣＳに基づいて様々なシナリオをカバーするよう構成されてよい。シナリオに依存して、性能曲線は、リンクレベルシミュレーション又は実際のシステム測定の組に基づいてよい。
【００６５】
ステップ４２８で、性能曲線は、例えばアプリケーションプロフィールに基づいて、前もって選別される。事前選別は、アプリケーションプロフィールのＱｏＳ要求を満足することができない性能曲線を取り除いてよい。これにより、後のステップで考慮される性能曲線の数を減らすことができる。
【００６６】
ステップ４３０で、無線リンクに関連する信号対雑音比（ＳＮＲ）が、無線リンクに係る少なくとも１つのパラメータと関連付けられる。特定の態様において、無線リンクに係るＳＮＲ情報は、エンドポイントによって周期的に送信されるサウンディング信号を用いて基地局で（例えば、相互依存に基づいて）推定されてよい。ある実施形態において、ＳＮＲ情報は、具体的にエンドポイントから通信又は報告されてよい。どのようにＳＮＲが取得されるのかにかかわらず、相関は、ステップ４２５で得られる適応された性能曲線に基づいてよい。ステップ４３０での相関は、検出されるＳＮＲに基づいて、ＱｏＳ要求を満足することができないＭＳＣレベル及び／又はＭＩＭＯスキームを考慮から外すことを助ける。幾つかの実施形態において、各移動度シナリオの下で所与のアプリケーションのための性能曲線に基づいて特定の遅延及びパケットエラーレート要件を提供するコードブロックサイズ、ＭＩＭＯスキーム、及びＭＣＳレベルの対応する設定が適用されるところの最低ＳＮＲ要件を識別するテーブルが構成されてよい。
【００６７】
ステップ４３５、４４０及び４４５で、ＭＩＭＯスキーム、ＭＣＳレベル及びコードブロックサイズが、無線リンクのために動的に選択される。実施形態及び／又はシナリオに依存して、基地局、エンドポイント、又はこれらの組合せにおいて、決定が行われてよい。選択のうちの１又はそれ以上がエンドポイントで行われる場合、エンドポイントは、その選択を提案として基地局へ送信してよい。どこで選択が行われるのかにかかわらず、各選択は、アプリケーションプロフィール、エンドポイント移動度、又はＳＮＲの１又はそれ以上に基づいてよい。選択は、チャネル品質及びエンドポイント移動度を鑑みて無線リンク又は接続のためのＱｏＳ要求に対処するのみならず、全ての無線リンクにわたってアクセス局の効率及び／又は全体のスループットを最大限とするよう試みてよい。かかる選択は、無線リンクの寿命の間、動的に適応されてよい。これは、変化する状態に対する適応を可能にする。
【００６８】
図４に表されているステップの一部は、必要に応じて、結合、変更又は削除をされてよく、また、追加のステップがフローチャートに加えられてよい。例えば、幾つかの実施形態において、１よりも多いデータストリームは、最大尤度デコーダを用いてデコードされてよい。さらに、ステップは、特定の態様の適用範囲から外れることなく、あらゆる適切な順序で実行されてよい。
【００６９】
特定の態様について詳細に記載してきたが、当然、それらは本開示の適用範囲を限定せず、様々な他の変形、置換、結合及び代替が本開示の主旨及び適用範囲から外れることなく行われてよい。例えば、実施形態は、エンドポイント及び基地局等の通信システム１００内に含まれる多数の要素を参照して記載されているが、これらの要素は、特定のルーティング・アーキテクチャ又はニーズに適合するために、結合され、再配置され、又は位置付けられてよい。さらに、これらの要素のいずれもが、必要に応じて、通信システム１００又は互いの別個の外部構成要素として設けられてよい。本発明は、これらの要素及びそれらの内部の構成要素の配置において大いなる柔軟性を考える。
【００７０】
多数の他の変形、置換、変更、代替及び改良は、当業者によって確認されてよく、様々な実施形態は、添付の特許請求の範囲の技術的範囲内にある全ての変形、置換、変更、代替及び改良を包含すると意図される。
【００７１】
以上の実施形態に関し、更に以下の付記を開示する。
【００７２】
（付記１）
少なくとも１つの接続を有する無線リンクを少なくとも１つのエンドポイントにより確立する段階と、
前記エンドポイントの移動速度を示す移動度表示を受け取る段階と、
前記受け取った移動度表示に基づいて前記無線リンクのための少なくとも１つのパラメータを動的に選択する段階と
を有する方法。
【００７３】
（付記２）
前記無線リンクのための少なくとも１つのパラメータを選択する段階は、
前記無線リンクのためのＭＩＭＯスキームと、前記無線リンクのための変調及び符号化スキームレベルと、前記無線リンクを介して送信されるフレームを分割するコードブロックサイズとを含むグループからパラメータを選択する段階を有する、
付記１に記載の方法。
【００７４】
（付記３）
前記少なくとも１つのパラメータを動的に選択する段階は、
前記無線リンクの寿命の間、当該選択を適応させる段階を有する、
付記１に記載の方法。
【００７５】
（付記４）
前記無線リンクのための少なくとも１つのパラメータを選択する段階は、
前記移動度表示に基づいて少なくとも１つの性能曲線を適応させる段階を有し、
前記少なくとも１つの性能曲線は、無線リンクの少なくとも１つのパラメータを、検出される信号対雑音比と相関させる、
付記１に記載の方法。
【００７６】
（付記５）
前記移動度表示は、前記エンドポイントの移動速度の範囲の選択を有する、
付記１に記載の方法。
【００７７】
（付記６）
前記無線リンクに関連するアプリケーションプロフィールを決定する段階と、
前記移動度表示及び前記決定されたアプリケーションプロフィールに基づいて前記無線リンクのための少なくとも１つのパラメータを選択する段階と
を更に有する付記１に記載の方法。
【００７８】
（付記７）
少なくとも１つの接続を有する無線リンクを少なくとも１つのアクセス局により確立する段階と、
移動度を示す移動度を決定する段階と、
前記決定された移動度に基づいて前記無線リンクの少なくとも１つのパラメータのための提案を動的に決定する段階と、
前記提案を前記少なくとも１つのアクセス局に送信する段階と
を有する方法。
【００７９】
（付記８）
前記提案を動的に決定する段階は、
前記無線リンクのためのＭＩＭＯスキームと、前記無線リンクのための変調及び符号化スキームレベルとを含むグループからパラメータを選択する段階を有する、
付記７に記載の方法。
【００８０】
（付記９）
前記提案を動的に決定する段階は、
前記無線リンクの寿命の間、前記提案を変更する段階を有する、
付記７に記載の方法。
【００８１】
（付記１０）
前記提案を動的に決定する段階は、
前記移動度の決定に基づいて少なくとも１つの性能曲線を適応させる段階を有し、
前記少なくとも１つの性能曲線は、無線リンクの少なくとも１つのパラメータを、検出される信号対雑音比と相関させる、
付記７に記載の方法。
【００８２】
（付記１１）
前記無線リンクに関連するアプリケーションプロフィールを決定する段階と、
前記移動度及び前記決定されたアプリケーションプロフィールに基づいて前記無線リンクのための少なくとも１つのパラメータを選択する段階と
を更に有する付記７に記載の方法。
【００８３】
（付記１２）
インターフェースと、該インターフェースに結合されるプロセッサとを有し、
前記インターフェースは、
少なくとも１つの接続を有する無線リンクを少なくとも１つのエンドポイントにより確立し、かつ
前記エンドポイントの移動速度を示す移動度表示を受け取る
よう構成され、
前記プロセッサは、前記受け取った移動度表示に基づいて前記無線リンクのための少なくとも１つのパラメータを動的に選択するよう構成される、システム。
【００８４】
（付記１３）
前記無線リンクのための少なくとも１つのパラメータを選択するよう構成される前記プロセッサは、さらに、前記無線リンクのためのＭＩＭＯスキームと、前記無線リンクのための変調及び符号化スキームレベルと、前記無線リンクを介して送信されるフレームを分割するコードブロックサイズとを含むグループからパラメータを選択するよう構成される、
付記１２に記載のシステム。
【００８５】
（付記１４）
前記少なくとも１つのパラメータを動的に選択するよう構成される前記プロセッサは、さらに、前記無線リンクの寿命の間、当該選択を適応させるよう構成される、
付記１２に記載のシステム。
【００８６】
（付記１５）
前記無線リンクのための少なくとも１つのパラメータを選択するよう構成される前記プロセッサは、さらに、前記移動度表示に基づいて少なくとも１つの性能曲線を適応させるよう構成され、
前記少なくとも１つの性能曲線は、無線リンクの少なくとも１つのパラメータを、検出される信号対雑音比と相関させる、
付記１２に記載のシステム。
【００８７】
（付記１６）
前記移動度表示は、前記エンドポイントの移動速度の範囲の選択を有する、
付記１２に記載のシステム。
【００８８】
（付記１７）
前記プロセッサは、さらに、
前記無線リンクに関連するアプリケーションプロフィールを決定し、かつ
前記移動度表示及び前記決定されたアプリケーションプロフィールに基づいて前記無線リンクのための少なくとも１つのパラメータを選択する
よう構成される、付記１２に記載のシステム。
【００８９】
（付記１８）
インターフェースと、該インターフェースに結合されるプロセッサとを有し、
前記インターフェースは、少なくとも１つの接続を有する無線リンクを少なくとも１つのアクセス局により確立するよう構成され、
前記プロセッサは、
移動度を示す移動度を決定し、かつ
前記決定された移動度に基づいて前記無線リンクの少なくとも１つのパラメータのための提案を動的に決定する
よう構成され、
前記インターフェースは、さらに、前記提案を前記少なくとも１つのアクセス局に送信するよう構成される、システム。
【００９０】
（付記１９）
前記提案を動的に決定するよう構成される前記プロセッサは、さらに、前記無線リンクのためのＭＩＭＯスキームと、前記無線リンクのための変調及び符号化スキームレベルとを含むグループからパラメータを選択するよう構成される、
付記１８に記載のシステム。
【００９１】
（付記２０）
前記提案を動的に決定するよう構成される前記プロセッサは、さらに、前記無線リンクの寿命の間、前記提案を変更するよう構成される、
付記１８に記載のシステム。
【００９２】
（付記２１）
前記提案を動的に決定するよう構成される前記プロセッサは、さらに、前記移動度の決定に基づいて少なくとも１つの性能曲線を適応させるよう構成され
前記少なくとも１つの性能曲線は、無線リンクの少なくとも１つのパラメータを、検出される信号対雑音比と相関させる、
付記１８に記載のシステム。
【００９３】
（付記２２）
前記プロセッサは、さらに、
前記無線リンクに関連するアプリケーションプロフィールを決定し、かつ
前記移動度及び前記決定されたアプリケーションプロフィールに基づいて前記無線リンクのための少なくとも１つのパラメータを選択する
よう構成される、付記１８に記載のシステム。
【００９４】
（付記２３）
プロセッサによって実行される場合に、
少なくとも１つの接続を有する無線リンクを少なくとも１つのエンドポイントにより確立し、
前記エンドポイントの移動速度を示す移動度表示を受け取り、かつ
前記受け取った移動度表示に基づいて前記無線リンクのための少なくとも１つのパラメータを動的に選択する
よう構成される実行可能な命令を含む有形なコンピュータ可読記憶媒体。
【００９５】
（付記２４）
前記無線リンクのための少なくとも１つのパラメータを選択するよう構成される前記命令は、さらに、前記無線リンクのためのＭＩＭＯスキームと、前記無線リンクのための変調及び符号化スキームレベルと、前記無線リンクを介して送信されるフレームを分割するコードブロックサイズとを含むグループからパラメータを選択するよう構成される、
付記２３に記載の媒体。
【００９６】
（付記２５）
前記少なくとも１つのパラメータを動的に選択するよう構成される前記命令は、さらに、前記無線リンクの寿命の間、当該選択を適応させるよう構成される、
付記２３に記載の媒体。
【００９７】
（付記２６）
前記無線リンクのための少なくとも１つのパラメータを選択するよう構成される前記命令は、さらに、前記移動度表示に基づいて少なくとも１つの性能曲線を適応させるよう構成され、
前記少なくとも１つの性能曲線は、無線リンクの少なくとも１つのパラメータを、検出される信号対雑音比と相関させる、
付記２３に記載の媒体。
【００９８】
（付記２７）
前記移動度表示は、前記エンドポイントの移動速度の範囲の選択を有する、
付記２３に記載の媒体。
【００９９】
（付記２８）
前記命令は、さらに、
前記無線リンクに関連するアプリケーションプロフィールを決定し、かつ
前記移動度表示及び前記決定されたアプリケーションプロフィールに基づいて前記無線リンクのための少なくとも１つのパラメータを選択する
よう構成される、付記２３に記載の媒体。
【０１００】
（付記２９）
プロセッサによって実行される場合に、
少なくとも１つの接続を有する無線リンクを少なくとも１つのアクセス局により確立し、
移動度を示す移動度を決定し、
前記決定された移動度に基づいて前記無線リンクの少なくとも１つのパラメータのための提案を動的に決定し、かつ
前記提案を前記少なくとも１つのアクセス局に送信する
よう構成される実行可能な命令を含む有形なコンピュータ可読記憶媒体。
【０１０１】
（付記３０）
前記提案を動的に決定するよう構成される前記命令は、さらに、前記無線リンクのためのＭＩＭＯスキームと、前記無線リンクのための変調及び符号化スキームレベルとを含むグループからパラメータを選択するよう構成される、
付記２９に記載の媒体。
【０１０２】
（付記３１）
前記提案を動的に決定するよう構成される前記命令は、さらに、前記無線リンクの寿命の間、前記提案を変更するよう構成される、
付記２９に記載の媒体。
【０１０３】
（付記３２）
前記提案を動的に決定するよう構成される前記命令は、さらに、前記移動度の決定に基づいて少なくとも１つの性能曲線を適応させるよう構成され
前記少なくとも１つの性能曲線は、無線リンクの少なくとも１つのパラメータを、検出される信号対雑音比と相関させる、
付記２９に記載の媒体。
【０１０４】
（付記３３）
前記命令は、さらに、
前記無線リンクに関連するアプリケーションプロフィールを決定し、かつ
前記移動度及び前記決定されたアプリケーションプロフィールに基づいて前記無線リンクのための少なくとも１つのパラメータを選択する
よう構成される、付記２９に記載の媒体。
【符号の説明】
【０１０５】
１００  通信システム
１１０ａ〜１１０ｄ  ネットワーク
１２０  基地局
１３０ａ〜１３０ｂ  中継局
１４０ａ〜１４０ｆ  エンドポイント
１５０ａ〜１５０ｅ  無線リンク
１６０ａ〜１６０ｉ  有線リンク
１７０ａ〜１７０ｅ  ノード
２０５  ネットワーク
２１０  アクセス局
２１１  プロセッサ
２１２  バス
２１３  メモリ
２１５  記憶装置
２１７  入出力（Ｉ／Ｏ）インターフェース
２１９  通信インターフェース
２７０ａ〜２７０ｂ  エンドポイント
３１０ａ，３１２ｂ，３１４ｂ  リンク適応ユニット
３２２ａ  ＣＱＩ情報
３２２ｂ  ＳＮＲ情報
３２４ａ，３２４ｂ  移動度情報
３３２ａ，３３２ｂ  アプリケーションプロフィール情報
３３４ａ，３３４ｂ  スケジューリングリソース情報
３４０ａ  セグメンテーションブロック
３５２ａ  チャネルエンコーダ
３５４ａ  シンボルマッパ
３６０ａ  ＭＩＭＯスキームユニット
３８０ａ  入力情報
【図１】
0005605278.tif 000002
【図２】
0005605278.tif 000003
【図３Ａ】
0005605278.tif 000004
【図３Ｂ】
0005605278.tif 000005
【図４】
0005605278.tif 000006